【手続補正書】
【提出日】令和2年11月16日(2020.11.16)
【手続補正１】
【補正対象書類名】特許請求の範囲
【補正対象項目名】全文
【補正方法】変更
【補正の内容】
【特許請求の範囲】
【請求項１】
軸に沿って整列された複数のN個の音響トランスデューサーにわたって空間化回復を行うように前記軸に沿ってオーディオオブジェクトを処理する方法であって、該オーディオオブジェクト（151）は、オーディオオブジェクト横座標及びオーディオオブジェクト拡散を有し、前記音響トランスデューサーのそれぞれは、トランスデューサー横座標（152）を有し、Nは少なくとも2に等しく、該方法は、
前記複数の音響トランスデューサーのそれぞれの前記トランスデューサー横座標（152）と、前記オーディオオブジェクト横座標（151）との四分円上へのマッピングを含む第1のプロセス（110）を実行し、前記複数のトランスデューサーのN個のトランスデューサー角（154）と、前記オーディオオブジェクトの1つのオーディオオブジェクト角（153）とを得るステップと、
第3のプロセス（130）を実行するステップであって、
以下の式によって、前記複数のトランスデューサーのそれぞれのトランスデューサー有効数（159）を計算するサブステップ（132）と、
【数１】
2020505860.tif 000001
以下の式によって、i∈[1..N]である前記複数のトランスデューサーのそれぞれのトランスデューサー利得Pi（160）を計算するサブステップ（133）と、
【数２】
2020505860.tif 000002
を含む、ステップと、
第4のプロセス（140）を実行するステップであって、
前記トランスデューサー有効数（159）によって前記利得（162）を除算することによって、前記複数のN個のトランスデューサーのそれぞれの以下の初期利得値Gi（163）を計算するサブステップ（142）と、
【数３】
2020505860.tif 000003
総放出出力を、
【数４】
2020505860.tif 000004
によって計算し、前記複数のN個のトランスデューサーのそれぞれについて、
【数５】
2020505860.tif 000005
によって補正された利得（164）を計算することによって出力節約を確保するサブステップ（143）と、
を含む、ステップと、
を含み、
該方法は、
前記複数のトランスデューサーから、前記オーディオオブジェクトに最も接近した第1のトランスデューサーα（155）及び第2のトランスデューサーβ（156）を識別するサブステップ（122）と、
前記第1のトランスデューサーα（155）及び前記第2のトランスデューサーβ（156）に対するステレオパン法則に従って前記利得Qα（157）及びQβ（158）を計算するサブステップ（123）と、
を含む第2のプロセス（120）を実行することを更に含み、
前記第3のプロセス（130）は、
前記オーディオオブジェクト角（153）に本質的に等しい仮想トランスデューサー角を含む仮想トランスデューサーを作成し、該仮想トランスデューサー角をN個のトランスデューサー角（154）のリストに加え、それによって、N+1個のトランスデューサー角の拡張されたリストを作成する追加のサブステップ（131）と、
前記トランスデューサー利得を計算する変更されたサブステップ（133）であって、
【数６】
2020505860.tif 000006
によって、前記仮想トランスデューサー角に対応する仮想トランスデューサー利得PN+1（161）を計算することを更に含むことによって変更される、サブステップ（133）と、
を更に含み、
前記第4のプロセス（140）は、
前記第2のプロセス（120）において計算された前記利得Qα（157）及びQβ（158）を用いることによって前記第1のトランスデューサーα（155）及び前記第2のトランスデューサーβ（156）にわたって前記仮想トランスデューサー利得PN+1（161）を再分配し、
【数７】
2020505860.tif 000007
1ここで、i=α又はi=βである
に従って、前記第1のトランスデューサーα（155）の変更された利得P'α（162）と、前記第2のトランスデューサーβ（156）の変更された利得P'β（162）とを得る追加のサブステップ（141）、
を更に含み、
前記初期利得値Gi（163）の前記計算は、前記第1のトランスデューサーα（155）の前記利得Pαの代わりに前記変更された利得P'α（162）と、前記第2のトランスデューサーβ（156）の前記利得Pβの代わりに前記変更された利得P'β（162）とを用いて行われる、
ことを特徴とする、方法。
【請求項２】
前記ステレオパン法則は、次のもの、すなわち、タンジェントパン法則、サインコサインパン法則のうちの任意のもの又は任意の組み合わせである、請求項1に記載の方法。
【請求項３】
天井、前壁及び側壁を備える平行六面体室の内側表面上に位置決めされた複数のN個の音響トランスデューサーにわたって空間化回復を行うようにオーディオオブジェクトを処理する方法であって、Nは少なくとも2に等しく、前記音響トランスデューサーは、X軸、Y軸及びZ軸を備えるXYZ正規直交フレームに従って位置決めされ、前記Z軸は、前記天井に向かって延在し、前記天井と直交し、前記Y軸は、前記前壁に向かって延在し、前記前壁と直交し、前記X軸は、前記側壁に向かって延在し、前記側壁と直交し、前記トランスデューサー及び前記オーディオオブジェクトのそれぞれは、横座標の前記XYZ正規直交フレームに関するデカルト座標（200）を有し、前記オーディオオブジェクトは、前記XYZ正規直交フレームに関する拡散値を有し、該方法は、
前記複数のトランスデューサーの前記Z横座標及び前記Z拡散値のみを用いて、前記複数のトランスデューサーのそれぞれのZ利得（207）を取得する第1のステップ（201）と、
Zレイヤを効果的に構築するトランスデューサー配置の一意のZ座標リストを求める第2のステップ（202）と、
前記ZレイヤのトランスデューサーのY横座標及び前記Y拡散値のみを用いて、前記複数のトランスデューサーのそれぞれ及び前記Zレイヤのそれぞれについて、Y利得（208）を取得する第3のステップ（203）と、
前記Zレイヤごとに、Y行を効果的に構築する一意のY座標リストを求める第4のステップ（204）と、
前記行のトランスデューサーのX横座標及び前記X拡散値のみを用いて、前記複数のトランスデューサーのそれぞれ、各Zレイヤ及び各Y行について、X利得（209）を取得する第5のステップ（205）と、
前記X利得（209）、前記Y利得（208）及び前記Z利得（207）を要素ごとに乗算し、2ノルム正規化を適用して、前記トランスデューサー配置全体の最終的なトランスデューサー利得（210）を取得する第6のステップ（206）と、
を含み、
前記第1のステップ（201）において前記Z利得（207）を前記求めることは、前記Z軸に沿って、請求項1又は2に記載の方法を用いて実行され、
前記第3のステップ（203）において前記Y利得（208）を前記求めることは、前記Y軸に沿って、請求項1又は2に記載の方法を用いて実行され、
前記第5のステップ（205）において前記X利得（209）を前記求めることは、前記X軸に沿って、請求項1又は2に記載の方法を用いて実行される、
ことを特徴とする、方法。
【請求項４】
球の内側表面上に位置決めされた複数のN個の音響トランスデューサーにわたって空間化回復を行うようにオーディオオブジェクトを処理する方法であって、Nは少なくとも2に等しく、前記オーディオオブジェクトは、オーディオオブジェクト位置及びオーディオオブジェクト拡散を有し、該方法は、
第1のプロセス（301）を実行するステップであって、該第1のプロセスは、
前記複数のトランスデューサー、前記オーディオオブジェクト位置及び前記オーディオオブジェクト拡散に基づいて前記トランスデューサー有効数βiを事前計算するサブステップと、
1とその元の値との間でアフィン関数によってβiを変更し、変更されたトランスデューサー有効数（313）を得るサブステップと、
を含む、ステップと、
所与のオブジェクト座標について、第2のプロセスを実行するステップであって、該第2のプロセスは、
前記メッシュにおける各小面のVBAP利得を計算し、前記トランスデューサー利得Qiのそれぞれが正である取り囲む小面を見つけ、それ以外の利得を廃棄して、3つのVBAP利得（314）を得る第1のステップ（302）と、
前記トランスデューサー配置内に、前記オブジェクト位置（311）に位置決めされる仮想トランスデューサーを作成し、前記変更された配置がN+1個のトランスデューサーを備えるようにする第2のステップ（303）と、
前記N+1個のトランスデューサーの元のSPCAP利得（315）を計算する第3のステップ（304）と、
前記第1のステップ（302）において計算された前記3つのVBAP利得Qi（312）と、前記元のSPCAP利得（315）とを用いることによって前記仮想の第（N+1）のトランスデューサーの前記計算された利得を再分配し、N個の変更されたSPCAP利得（316）を得る第4のステップ（305）と、
以下の式のように、前記第1のシステムによって事前計算された前記変更されたトランスデューサー有効数（313）によって前記元のSPCAP利得（316）を除算することによって、前記初期利得値Gi（317）を計算する第5のステップ（306）と、
【数８】
2020505860.tif 000008
前記総放出出力
【数９】
2020505860.tif 000009
を計算し、前記初期利得（317）を除算して、各トランスデューサーの前記補正された利得（318）
【数１０】
2020505860.tif 000010
を得ることによって、出力節約を確保する第6のステップ（307）と、
を含む、ステップと、
を含み、
前記トランスデューサー有効数（313）の前記計算は、以下の式を用い、
【数１１】
2020505860.tif 000011
前記第2のプロセスの前記第3のステップ（304）は、以下の式を用い、
【数１２】
2020505860.tif 000012
ここで、θisは、前記音源と前記トランスデューサーとの間の前記角度であり、
前記第2のプロセスの前記第4のステップ（305）は、以下の式を用い、
【数１３】
2020505860.tif 000013
iは、前記アクティブなVBAP小面に属するスピーカーiのiである、
ことを特徴とする、方法。
【請求項５】
軸に沿って整列された複数のN個の音響トランスデューサーにわたって空間化回復を行うように前記軸に沿ってオーディオオブジェクトを処理するシステムであって、該オーディオオブジェクト（151）は、オーディオオブジェクト横座標及びオーディオオブジェクト拡散を有し、前記音響トランスデューサーのそれぞれは、トランスデューサー横座標を有し、Nは少なくとも2に等しく、該システムは、
前記複数の音響トランスデューサーのそれぞれの前記トランスデューサー横座標（152）と、前記オーディオオブジェクト横座標（151）との四分円上へのマッピングを実行し、前記複数のトランスデューサーのN個のトランスデューサー角（154）と、前記オーディオオブジェクトの1つのオーディオオブジェクト角（153）とを得るように構成された第1のモジュール（110）と、
第3のモジュール（130）であって、
以下の式によって、前記複数のトランスデューサーのそれぞれのトランスデューサー有効数（159）を計算すること（132）と、
【数１４】
2020505860.tif 000014
以下の式によって、i∈[1..N]である前記複数のトランスデューサーのそれぞれのトランスデューサー利得Pi（160）を計算すること（133）と、
【数１５】
2020505860.tif 000015
の方法を実行するように構成された、第3のモジュールと、
第4のモジュール（140）であって、
前記トランスデューサー有効数（159）によって前記利得（162）を除算することによって、前記複数のN個のトランスデューサーのそれぞれの以下の初期利得値Gi（163）を計算すること（142）と、
【数１６】
2020505860.tif 000016
総放出出力を、
【数１７】
2020505860.tif 000017
によって計算し、前記複数のN個のトランスデューサーのそれぞれについて、
【数１８】
2020505860.tif 000018
によって補正された利得（164）を計算することによって出力節約を確保すること（143）と、
の方法を実行するように構成された、第4のモジュール（140）と、
を備え、
該システムは、
前記複数のトランスデューサーから、前記オーディオオブジェクトに最も接近した第1のトランスデューサーα（155）及び第2のトランスデューサーβ（156）を識別すること（122）と、
前記第1のトランスデューサーα（155）及び前記第2のトランスデューサーβ（156）に対するステレオパン法則に従って前記利得Qα（157）及びQβ（158）を計算すること（123）と、
の方法を実行するように構成された第2のモジュール（120）を更に備え、
前記第3のモジュール（130）は、
前記オーディオオブジェクト角（153）に本質的に等しい仮想トランスデューサー角を有する仮想トランスデューサーを作成し、該仮想トランスデューサー角をN個のトランスデューサー角（154）のリストに加え、それによって、N+1個のトランスデューサー角の拡張されたリストを作成する追加のサブステップ（131）と、
前記トランスデューサー利得を計算する変更されたサブステップ（133）であって、
【数１９】
2020505860.tif 000019
によって、前記仮想トランスデューサー角に対応する仮想トランスデューサー利得PN+1（161）を計算することを更に含むことによって変更される、サブステップ（133）と、
を実行するように更に構成され、
前記第4のモジュール（140）は、
前記第2のモジュール（120）において計算された前記利得Qα（157）及びQβ（158）を用いることによって前記第1のトランスデューサーα（155）及び前記第2のトランスデューサーβ（156）にわたって前記仮想トランスデューサー利得PN+1（161）を再分配し、
【数２０】
2020505860.tif 000020
1ここで、i=α又はi=βである
に従って、前記第1のトランスデューサーα（155）の変更された利得P'α（162）と、前記第2のトランスデューサーβ（156）の変更された利得P'β（162）とを得る追加のサブステップ（141）、
を実行するように更に構成され、
前記初期利得値Gi（163）の前記計算は、前記第1のトランスデューサーα（155）の前記利得Pαの代わりに前記変更された利得P'α（162）と、前記第2のトランスデューサーβ（156）の前記利得Pβの代わりに前記変更された利得P'β（162）とを用いて行われる、
ことを特徴とする、システム。
【請求項６】
前記ステレオパン法則は、次のもの、すなわち、タンジェントパン法則、サインコサインパン法則のうちの任意のもの又は任意の組み合わせである、請求項5に記載のシステム。
【請求項７】
天井、前壁及び側壁を備える平行六面体室の内側表面上に位置決めされた複数のN個の音響トランスデューサーにわたって空間化回復を行うようにオーディオオブジェクトを処理するシステムであって、Nは少なくとも2に等しく、前記音響トランスデューサーは、X軸、Y軸及びZ軸を備えるXYZ正規直交フレームに従って位置決めされ、前記Z軸は、前記天井に向かって延在し、前記天井と直交し、前記Y軸は、前記前壁に向かって延在し、前記前壁と直交し、前記X軸は、前記側壁に向かって延在し、前記側壁と直交し、前記トランスデューサー及び前記オーディオオブジェクトのそれぞれは、横座標の前記XYZ正規直交フレームに関するデカルト座標（200）を有し、前記オーディオオブジェクトは、前記XYZ正規直交フレームに関する拡散値を有し、該システムは、
前記複数のトランスデューサーの前記Z横座標及び前記Z拡散値のみを用いて、前記複数のトランスデューサーのそれぞれのZ利得（207）を取得する第1のステップ（201）と、
Zレイヤを効果的に構築するトランスデューサー配置の一意のZ座標リストを求める第2のステップ（202）と、
前記ZレイヤのトランスデューサーのY横座標及び前記Y拡散値のみを用いて、前記複数のトランスデューサーのそれぞれ及び前記Zレイヤのそれぞれについて、Y利得（208）を取得する第3のステップ（203）と、
前記Zレイヤごとに、Y行を効果的に構築する一意のY座標リストを求める第4のステップ（204）と、
前記行のトランスデューサーのX横座標及び前記X拡散値のみを用いて、前記複数のトランスデューサーのそれぞれ、各Zレイヤ及び各Y行について、X利得（209）を取得する第5のステップ（205）と、
前記X利得（209）、前記Y利得（208）及び前記Z利得（207）を要素ごとに乗算し、2ノルム正規化を適用して、前記トランスデューサー配置全体の最終的なトランスデューサー利得（210）を取得する第6のステップ（206）と、
を含む方法を実行するように構成され、
前記第1のステップ（201）において前記Z利得（207）を前記求めることは、前記Z軸に沿って、請求項1又は2に記載の方法を用いて実行され、
前記第3のステップ（203）において前記Y利得（208）を前記求めることは、前記Y軸に沿って、請求項1又は2に記載の方法を用いて実行され、
前記第5のステップ（205）において前記X利得（209）を前記求めることは、前記X軸に沿って、請求項1又は2に記載の方法を用いて実行される、
ことを特徴とする、システム。
【請求項８】
球の内側表面上に位置決めされた複数のN個の音響トランスデューサーにわたって空間化回復を行うようにオーディオオブジェクトを処理するシステムであって、Nは少なくとも2に等しく、前記オーディオオブジェクトは、オーディオオブジェクト位置及びオーディオオブジェクト拡散を有し、該システムは、
第1のプロセス（301）を実行するステップであって、該第1のプロセスは、
前記複数のトランスデューサー、前記オーディオオブジェクト位置及び前記オーディオオブジェクト拡散に基づいて前記トランスデューサー有効数βiを事前計算するサブステップと、
1とその元の値との間でアフィン関数によってβiを変更し、変更されたトランスデューサー有効数（313）を得るサブステップと、
を含む、ステップと、
所与のオブジェクト座標について、第2のプロセスを実行するステップであって、該第2のプロセスは、
前記メッシュにおける各小面のVBAP利得を計算し、前記トランスデューサー利得Qiのそれぞれが正である取り囲む小面を見つけ、それ以外の利得を廃棄して、3つのVBAP利得（314）を得る第1のステップ（302）と、
前記トランスデューサー配置内に、前記オブジェクト位置（311）に位置決めされる仮想トランスデューサーを作成し、前記変更された配置がN+1個のトランスデューサーを備えるようにする第2のステップ（303）と、
前記N+1個のトランスデューサーの元のSPCAP利得（315）を計算する第3のステップ（304）と、
前記第1のステップ（302）において計算された前記3つのVBAP利得Qi（312）と、前記元のSPCAP利得（315）とを用いることによって前記仮想の第（N+1）のトランスデューサーの前記計算された利得を再分配し、N個の変更されたSPCAP利得（316）を得る第4のステップ（305）と、
以下の式のように、前記第1のシステムによって事前計算された前記変更されたトランスデューサー有効数（313）によって前記元のSPCAP利得（316）を除算することによって、前記初期利得値Gi（317）を計算する第5のステップ（306）と、
【数２１】
2020505860.tif 000021
前記総放出出力
【数２２】
2020505860.tif 000022
を計算し、前記初期利得（317）を除算して、各トランスデューサーの前記補正された利得（318）
【数２３】
2020505860.tif 000023
を得ることによって、出力節約を確保する第6のステップ（307）と、
を含む、ステップと、
を実行するように構成され、
前記トランスデューサー有効数（313）の前記計算は、以下の式を用い、
【数２４】
2020505860.tif 000024
前記第2のプロセスの前記第3のステップ（304）は、以下の式を用い、
【数２５】
2020505860.tif 000025
ここで、θisは、前記音源と前記トランスデューサーとの間の前記角度であり、
前記第2のプロセスの前記第4のステップ（305）は、以下の式を用い、
【数２６】
2020505860.tif 000026
iは、前記アクティブなVBAP小面に属するスピーカーiのiである、
ことを特徴とする、システム。
【請求項９】
請求項5又は6に記載のシステムにおける請求項1又は2に記載の方法の使用。
【請求項１０】
請求項7に記載のシステムにおける請求項3に記載の方法の使用。
【請求項１１】
請求項8に記載のシステムにおける請求項4に記載の方法の使用。
【手続補正２】
【補正対象書類名】明細書
【補正対象項目名】００９８
【補正方法】変更
【補正の内容】
【００９８】
音源パラメーター
5. 表5 - LSPCAP部屋中心モード：音源パラメーター
【表５】
2020505860.tif 000027